(57)【要約】      （修正有）【課題】複数のディスプレーの双方向の変更が可能な計時器用機構を提供する。【解決手段】第１のギヤ列３２１と第２のギヤ列３２２の位置を変更する双方向性変更機構３００であって、変更ピニオン３１０のアーバー３３０のまわりを回転する変更レバー３０３を有し、変更レバー３０３は、変更ピニオン３１０と噛み合う、第１のギヤ列３２１を駆動する第１の中間車セット３１１と、及び第２のギヤ列３２２を駆動する第２の中間車セット３１２とを担持している。変更機構３００は、セッティング手段に対する作用がないときに変更レバー３０３を中立位置に戻す弾性要素３０５を有し、中立位置においては、車セット３１１、３１２は、第１のギヤ列３２１と第２のギヤ列３２２から分離されており、変更レバー３０３とアーバー３３０の間の摩擦接続、又は弾性要素３０５と、第１の中間車セット３１１と第２の中間車セット３１２との間の摩擦接続のいずれかがある。【選択図】図１
2018091842.tif 000002
【特許請求の範囲】
【請求項１】
少なくとも第１のギヤ列（３２１）と第２のギヤ列（３２２）の位置を変更する双方向性変更機構（３００）であって、
当該変更機構（３００）は、セッティング手段に対するユーザーによる作用によって制御されるように構成しており、
当該変更機構（３００）は、前記セッティング手段によって制御されるように構成している変更ピニオン（３１０）を有し、前記変更ピニオン（３１０）にあるメインアーバー（３３０）のまわりを前記変更ピニオン（３１０）と同軸にて回転する変更レバー（３０３）を有し、
前記変更レバー（３０３）は、前記変更ピニオン（３１０）と噛み合い前記第１のギヤ列（３２１）を駆動するように構成している第１の中間車セット（３１１）と、及び前記変更ピニオン（３１０）と噛み合い前記第２のギヤ列（３２２）を駆動するように構成している第２の中間車セット（３１２）とを担持しており、
前記変更機構（３００）は、前記セッティング手段に対するユーザーによる作用がないときに前記変更レバー（３０３）を中立位置に戻すように構成している少なくとも１つの弾性要素（３０５）を有し、
前記第１の中間車セット（３１１）は、前記第１のギヤ列（３２１）から分離されており、前記第２の中間車セット（３１２）は、前記第２のギヤ列（３２２）から分離されており、
当該変更機構（３００）には、少なくとも、前記変更レバー（３０３）と、前記変更ピニオン（３１０）の前記メインアーバー（３３０）との間の摩擦接続、又は前記弾性要素（３０５）と、前記第１の中間車セット（３１１）と前記第２の中間車セット（３１２）との間の摩擦接続のいずれかがあり、
当該変更機構（３００）には、前記変更レバー（３０３）と、前記変更ピニオン（３１０）の前記メインアーバー（３３０）との間の前記摩擦接続、又は前記弾性要素（３０５）と、第１の側における前記第１の中間車セット（３１１）が備える第１のアーバー（３３１）及び第２の側における前記第２の中間車セット（３１２）が備える第２のアーバー（３３２）との間の摩擦接続があり、
前記第１の中間車セット（３１１）の前記第１のアーバー（３３１）、又は前記第２の中間車セット（３１２）の前記第２のアーバー（３３２）が、止め位置に到達すると、対応する摩擦接続がスライドして、対応するスライド用中間車セット（３１１、３１２）がそれぞれ、前記第１のギヤ列（３２１）又は前記第２のギヤ列（３２２）と噛み合って、自由に回転することができる
ことを特徴とする変更機構（３００）。
【請求項２】
当該変更機構（３００）は、第１の長穴（７１）と第２の長穴（７２）があるプレート（７）を有し、
前記第１の長穴（７１）と前記第２の長穴（７２）には、前記第１の中間車セット（３１１）にある第１のアーバー（３３１）と前記第２の中間車セット（３１２）にある第２のアーバー（３３２）がそれぞれガイドされ、
前記中間車セット（３１１、３１２）はそれぞれ、そのアーバー（３３１、３３２）が、中を動く前記長穴（７１、７２）の端にて止められるときに、前記第１のギヤ列（３２１）又は前記第２のギヤ列（３２２）と係合する位置にある
ことを特徴とする請求項１に記載の変更機構（３００）。
【請求項３】
当該変更機構（３００）には、前記変更レバー（３０３）と、前記変更ピニオン（３１０）の前記メインアーバー（３３０）との間の前記摩擦接続、及び前記弾性要素（３０５）と、前記第１の中間車セット（３１１）と前記第２の中間車セット（３１２）との間の前記摩擦接続の両方がある
ことを特徴とする請求項１に記載の変更機構（３００）。
【請求項４】
前記弾性要素（３０５）は、前記変更レバー（３０３）の縁部に当接するばね（３０４）であり、これによって、前記第１の中間車セット（３１１）にある第１のアーバー（３３１）及び前記第２の中間車セット（３１２）にある第２のアーバー（３３２）と、前記変更レバー（３０３）にあるそれらのハウジングとの摩擦が発生する
ことを特徴とする請求項１に記載の変更機構（３００）。
【請求項５】
前記変更レバー（３０３）は、摩擦はさみ口（３０３０、３０３１、３０３２）によって、前記メインアーバー（３３０）に接するクランプと、前記第１の中間車セット（３１１）にある第１のアーバー（３３）に接するクランプと、及び前記第２の中間車セット（３１２）にある第２のアーバー（３３２）に接するクランプを形成している
ことを特徴とする請求項１に記載の変更機構（３００）。
【請求項６】
前記弾性要素（３０５）は、その端において突き出ているスタッド（３０６）を担持するブレードを有するばね（３０４）であり、
前記スタッド（３０６）は、前記第１の中間車セット（３１１）と前記第２の中間車セット（３１２）にある歯の縁部を直接こするように構成している。
ことを特徴とする請求項１に記載の変更機構（３００）。
【請求項７】
少なくとも第１のギヤ列（３２１）、第２のギヤ列（３２２）及びセッティング手段を有する計時器用ムーブメント（１０００）であって、
前記セッティング手段によって制御され、前記第１のギヤ列（３２１）と前記第２のギヤ列（３２２）の位置を変更するように構成している請求項１に記載の変更機構（３００）を有する
ことを特徴とする計時器用ムーブメント（１０００）。
【請求項８】
前記セッティング手段は、巻き及び時刻設定用のステムである。
ことを特徴とする請求項７に記載の計時器用ムーブメント（１０００）。
【請求項９】
請求項７に記載の計時器用ムーブメント（１０００）及び／又は請求項１に記載の変更機構（３００）を有する
ことを特徴とする腕時計（２０００）。
【発明の詳細な説明】
【技術分野】
【０００１】
本発明は、少なくとも第１のギヤ列と第２のギヤ列の位置を変更する双方向性変更機構に関する。当該変更機構は、セッティング手段に対するユーザーによる作用によって制御されるように構成しており、当該変更機構は、前記セッティング手段によって制御されるように構成している変更ピニオンを有し、前記変更ピニオンにあるメインアーバーのまわりを前記変更ピニオンと同軸にて回転する変更レバーを有し、前記変更レバーは、前記変更ピニオンと噛み合い前記第１のギヤ列を駆動するように構成している第１の中間車セットと、及び前記変更ピニオンと噛み合い前記第２のギヤ列を駆動するように構成している第２の中間車セットとを担持している。
【０００２】
本発明は、さらに、前記のような計時器用制御機構によって制御される複数のディスプレーを有するディスプレー機構に関する。
【０００３】
本発明は、さらに、前記のようなディスプレー機構又は前記のような計時器用変更機構を有する計時器用ムーブメントに関する。
【０００４】
本発明は、さらに、前記のような計時器用ムーブメント、前記のようなディスプレー機構、又は前記のような計時器用変更機構を有する腕時計に関する。
【０００５】
本発明は、計時器ディスプレー機構の分野に関する。
【背景技術】
【０００６】
複雑な計時器では、多くの機構がジャンパーばねによって適切な位置に保持される車セットを有している。日付が変わるときにしばしば位置が変わり、その瞬間において駆動手段は相当に大きいエネルギースパイクを供給する必要がある。また、変更を行うために時刻が問題になることがある。多くの機構において、変更を２２：００〜２４：００に行うことは推奨されていない。
【０００７】
SEIKOによる米国特許ＵＳ６２９５２４９Ｂ１は、計時器用の変更デバイスを開示している。これは、巻きステムを回転させることによって制御することができるセッティング車を有する。レバーは、セッティング車の回転中心の軸線と一致する軸線上に回転中心を有し、第１の回転運動の向き及び第１の回転運動の向きとは異なる第２の回転運動の向きの揺れ運動をムーブメントに対してするようにマウントされる。レバーは、回転中心から第１の方向に延在する第１の部分と、及びその回転中心から第２の方向に延在する第２の部分とを有する。レバーの第１の部分に少なくとも第１の変更伝達車が配置されて、セッティング車の回転に応じて回転する。揺れプレートの第２の部分に少なくとも第２の変更伝達車が配置されて、セッティング車の回転に応じて回転する。
【発明の概要】
【発明が解決しようとする課題】
【０００８】
特定の時間値におけるディスプレーの周期的駆動に関連するエネルギー消費を１日にわたって分散させることは有利である。
【０００９】
本発明は、少ない数の部品しかなくいつでも変更を容易に行うことができる単純で信頼できるシステムによって、いくつかのディスプレーを管理することができるユニークな制御機構を開発することを提案するものである。
【課題を解決するための手段】
【００１０】
このために、本発明は、請求項１に記載の複数のディスプレーの双方向性変更のための計時器用機構に関する。
【００１１】
本発明は、さらに、前記のような計時器用変更機構によって制御される複数のディスプレーを有するディスプレー機構に関する。
【００１２】
本発明は、さらに、前記のようなディスプレー機構又は前記のような計時器用変更機構を有する計時器用ムーブメントに関する。
【００１３】
本発明は、さらに、前記のような計時器用ムーブメント、前記のようなディスプレー機構、又は前記のような計時器用変更機構を有する腕時計に関する。
【００１４】
添付図面を参照しながら下記の詳細な説明を読むことで、本発明の他の特徴及び利点を理解することができるであろう。
【図面の簡単な説明】
【００１５】
【図１】２つの別個のディスプレーを備えたディスプレー機構を有する計時器用ムーブメントの部分的な概略平面図である。このディスプレー機構の入力ギヤ列は、前記の２つのディスプレーの位置を変更するように構成している本発明に係る迅速変更機構の両側に配置され、スライド用ギヤを担持する変更レバーを中立位置に戻す弾性戻し手段を有し、単一の正中ばねを有する。
【図２】図１と同様な図であり、変更機構が中立位置にある。
【図３】図２と同様な図であり、図の上部に示した第１のギヤ列を変更する位置にある。
【図４】図２と同様な図であり、図の下部に示した第２のギヤ列を変更する位置にある。
【図５】図１と同じ機構についての図１の上側の切断線に沿った断面図であり、第１のギヤ列と連係するように構成している第１の中間車セットの詳細を示している。
【図６】図１と同じ機構についての図１の下側の切断線に沿った断面図であり、第２のギヤ列と連係するように構成している第２の中間車セットの詳細を示している。
【図７】中立位置に戻す弾性戻し手段を有する変形態様についての図１と同様な図であり、この弾性戻し手段は、変更レバーを包囲している。
【図８】中立位置に戻す弾性戻し手段を有する別の変形態様についての図１と同様な図であり、スライド用ピニオンの歯の縁部をこするように構成しているスタッドが設けられている。
【図９】前記のようなディスプレー機構と、２つの別個のディスプレーを制御する前記のような計時器用機構と、及びこれらの２つのディスプレーを変更する前記のような機構とを備える前記のような計時器用ムーブメントを有する腕時計を示しているブロック図である。
【発明を実施するための形態】
【００１６】
本発明は、計時器用の双方向性変更機構３００に関し、これは、制御ステムのようなセッティング手段に対するユーザーの作用によって制御されるように構成しており、このセッティング手段は、変更ピニオン３１０に作用して、変更ピニオン３１０を一方向又は反対方向に回転させる。
【００１７】
この双方向性変更機構３００は、少なくとも第１のギヤ列３２１と第２のギヤ列３２２の位置を変更するように構成しており、前記のようなセッティング手段に対するユーザーの作用によって制御されるように構成している。
【００１８】
この機構３００は、前記セッティング手段によって制御されるように構成している変更ピニオン３１０を有し、変更ピニオン３１０にあるメインアーバー３３０のまわりを変更ピニオン３１０と同軸に回転する変更レバー３０３を有する。
【００１９】
この変更レバー３０３は、変更ピニオン３１０と噛み合い第１のギヤ列３２１を駆動するように構成している第１の中間車セット３１１と、及び変更ピニオン３１０と噛み合い第２のギヤ列３２２を駆動するように構成している第２の中間車セット３１２とを担持している。
【００２０】
本発明によると、この変更機構３００は、少なくとも１つの弾性要素３０５を有し、これは、セッティング手段に対するユーザーによる作用がないときには、変更レバー３０３を中立位置に戻すように構成している。この中立位置においては、第１の中間車セット３１１は第１のギヤ列３２１から分離されており、第２の中間車セット３１２は第２のギヤ列３２２から分離されている。この双方向性変更機構３００には、少なくとも、変更レバー３０３と、変更ピニオン３１０のメインアーバー３３０との間の摩擦接続、又は弾性要素３０５と、第１の中間車セット３１１と第２の中間車セット３１２との間の摩擦接続のいずれかがある。
【００２１】
特に、この双方向性変更機構３００には、変更レバー３０３と、変更ピニオン３１０のメインアーバー３３０との間の摩擦接続と、及び弾性要素３０５と、第１の中間車セット３１１と第２の中間車セット３１２との間の摩擦接続との両方がある。
【００２２】
特に、この双方向性変更機構３００には、変更レバー３０３と、変更ピニオン３１０のメインアーバー３３０との間の摩擦接続と、及び弾性要素３０５と、第１の側における第１の中間車セット３１１の第１のアーバー３３１と第２の側における第２の中間車セット３１２の第２のアーバー３３２との間の摩擦接続とがある。
【００２３】
第１の中間車セット３１１の第１のアーバー３３１又は第２の中間車セット３１２の第２のアーバー３３２が止め位置に到達すると、対応する摩擦接続がスライドして、対応するスライド用中間車セット３１１又は３１２が、第１のギヤ列３２１又は第２のギヤ列３２２とそれぞれ噛み合って、自由に回転することができる。
【００２４】
摩擦の結果、第１の中間車セット３１１と第２の中間車セット３１２は回転し、変更レバー３０３が行う回転運動の向きに応じて、その変更連鎖に近づき又はその変更連鎖から遠ざかる。実際に、双方向性変更機構３００は、第１の長穴７１と第２の長穴７２があるプレート７を有し、この第１の長穴７１と第２の長穴７２の中にはそれぞれ、第１の中間車セット３１１の第１のアーバー３３１及び第２の中間車セット３１２の第２のアーバー３３２がガイドされ、各中間車セット３１１、３１２はそれぞれ、そのアーバー３３１、３３２が、中を動く長穴７１、７２の端にて止められているときに、第１のギヤ列３２１又は第２のギヤ列３２２と噛み合う位置にある。この止められた位置において、摩擦接続がスライドして、可動なスライド用中間車セット３１１、３１２を自由にいつでも回転させることができる。
【００２５】
セッティング手段に対する作用がないときに変更レバー３０３を中立位置に戻すことの利点は、このことによって、スライド用ギヤがギヤ列に引き続き接しているときに発生することになる摩擦を抑えることができるということである。別の利点は、セッティング手段が腕時計の制御ステムによって形成されている場合に、不注意な変更が避けられるようにセッティング手段が隔離されるということである。
【００２６】
弾性要素３１５とアーバー３３１及び３３２の間のこの摩擦接続は、図７に示すように、直接的に達成することができる。図７においては、弾性要素３０５は、変更レバー３０３の縁部に当接するばね３０４であり、これによって、アーバー３３１及び３３２がレバー３０３におけるそれらのハウジングにこすれるようにする。
【００２７】
弾性要素と、アーバー３３１及び３３２との間の摩擦接続は、好ましいことに、図１に示すように又は図８の変形態様に示すように、直接的に行うようにすることができる。この図１においては、変更レバー３０３が、摩擦はさみ口３０３０、３０３１、３０３２によって、３つのアーバー３３０、３３１及び３３２のそれぞれに対するクランプを形成している。図８の変形態様においては、弾性要素３０５は、ばね３０４であり、このばね３０４の両端においては、突き出ているスタッド３０６を担持しているブレードを有しており、このスタッド３０６は、第１の中間車セット３１１と第２の中間車セット３１２の歯の縁部を直接こするように構成している。
【００２８】
ユーザーがセッティング手段に作用するのを止めると、弾性要素３０５は、第１の中間車セット３１１と第２の中間車セット３１２を中立位置に戻す。
【００２９】
前記のような双方向性変更機構３００は、非常に薄く、特に、変更しようとする月の相のディスプレー機構又は日付ディスプレー機構よりも厚くない。双方向性変更機構３００は、総厚みが１．６ｍｍであるように作ることができる。
【００３０】
本発明は、さらに、少なくとも別個の第１のディスプレー１０と第２のディスプレー２０を含む複数のディスプレーを有するディスプレー機構２００に関し、第１のディスプレー１０は、第１のギヤ列３２１を有し、第２のディスプレー２０は、第２のギヤ列３２２を有する。ディスプレー機構２００は、前記のような双方向性変更機構３００を有し、制御ステムのようなセッティング手段に対するユーザーによる作用によって制御されるように構成しており、このセッティング手段は、変更ピニオン３１０に作用して、変更ピニオン３１０を一方又は他方の方向に回転させる。
【００３１】
本発明は、さらに、前記のようなディスプレー機構２００及び／又は前記のような計時器用制御機構１００を有する計時器用ムーブメント１０００に関する。このムーブメント１０００は、計時器用制御機構１００を駆動するように構成している駆動車セット１を有する駆動手段を有する。また、ムーブメント１０００は、セッティング手段又はプッシャ、引き出し部品のようなセッティング手段を形成することができる別の制御手段を形成する巻き及び時刻設定用の制御ステムを有する。
【００３２】
本発明は、さらに、前記のような計時器用ムーブメント１０００及び／又は前記のようなディスプレー機構２００及び／又は前記のような計時器用制御機構１００を有する腕時計２０００に関する。
【符号の説明】
【００３３】
１０  第１のディスプレー
２０  第２のディスプレー
３３  第１のアーバー
７１  第１の長穴
７２  第２の長穴
１００  計時器用制御機構
２００  ディスプレー機構
３００  変更機構
３０３  変更レバー
３０４  ばね
３０５  弾性要素
３０６  スタッド
３１０  変更ピニオン
３１１  第１の中間車セット
３１２  第２の中間車セット
３２１  第１のギヤ列
３２２  第２のギヤ列
３３０  メインアーバー
３３１  第１のアーバー
３３２  第２のアーバー
１０００  計時器用ムーブメント
２０００  腕時計
３０３０、３０３１、３０３２  摩擦はさみ口
【図１】
2018091842.tif 000003
【図２】
2018091842.tif 000004
【図３】
2018091842.tif 000005
【図４】
2018091842.tif 000006
【図５】
2018091842.tif 000007
【図６】
2018091842.tif 000008
【図７】
2018091842.tif 000009
【図８】
2018091842.tif 000010
【図９】
2018091842.tif 000011